(57)【要約】【課題】ナースコールの着信時に中断されたアプリの作業内容を看護師が所望するタイミングで確認することができるようにする。【解決手段】呼出信号受信部１２がナースコールの呼出信号を受信すると、着信通知画面をディスプレイ８ａに表示させる着信通知画面表示制御部１３と、着信通知画面がディスプレイ８ａに表示される前に、ディスプレイ８ａに表示されているアプリの表示画面のキャプチャ画像を取得するキャプチャ画像取得部１４と、キャプチャ画像をナースコールに関する履歴情報と対応付けて履歴情報記憶部１０に記録する履歴情報記録部１５と、履歴情報に対応付けられているキャプチャ画像を確認することができるように、履歴情報をディスプレイ８ａに表示させる履歴情報表示制御部１６とを備え、ナースコールの着信時にディスプレイに表示されていた表示画面のキャプチャ画像をタッチパネル８ｂの操作により所望のタイミングで確認できるようにする。【選択図】図２
2015213637.tif 000002
【特許請求の範囲】
【請求項１】
ナースコールの呼出信号を受信する呼出信号受信部と、
前記呼出信号受信部が前記ナースコールの呼出信号を受信すると、当該ナースコールの着信通知画面をディスプレイに表示させる着信通知画面表示制御部と、
前記呼出信号受信部が前記ナースコールの呼出信号を受信して、前記着信通知画面が前記ディスプレイに表示される前に、前記ディスプレイに表示されているアプリの表示画面のキャプチャ画像を取得するキャプチャ画像取得部と、
前記キャプチャ画像取得部によって取得された前記キャプチャ画像を、前記ナースコールに関する履歴情報と対応付けて、履歴情報記憶部に記録する履歴情報記録部と、
看護師の操作に応じて、前記履歴情報記憶部に記録された前記履歴情報を前記ディスプレイに表示する際に、当該履歴情報に対応付けられている前記キャプチャ画像を確認することができるように、当該履歴情報を前記ディスプレイに表示させる履歴情報表示制御部と
を備えることを特徴とするナースコールシステム用携帯端末装置。
【請求項２】
前記履歴情報表示制御部は、前記ディスプレイに表示された前記履歴情報が選択されると、当該履歴情報に対応付けられている前記キャプチャ画像を前記ディスプレイに表示させる
ことを特徴とする請求項１に記載のナースコールシステム用携帯端末装置。
【請求項３】
前記履歴情報表示制御部は、前記履歴情報に並べてまたは重ねて、当該履歴情報に対応付けられている前記キャプチャ画像の縮小画像を前記ディスプレイに表示させる
ことを特徴とする請求項１に記載のナースコールシステム用携帯端末装置。
【請求項４】
前記ディスプレイに表示された前記キャプチャ画像が選択されると、当該キャプチャ画像が取得された前記アプリを稼働状態にして、当該アプリの表示画面を前記ディスプレイに再表示させるアプリ実行制御部
をさらに備えることを特徴とする請求項１から３のいずれか一項に記載のナースコールシステム用携帯端末装置。
【請求項５】
ナースコール子機からの呼び出しをナースコール親機および携帯端末装置に通知するようになされたナースコールシステムであって、
前記携帯端末装置がナースコールの呼出信号を受信すると、当該ナースコールの着信通知画面を前記携帯端末装置が備えるディスプレイに表示させる着信通知画面表示制御部と、
前記携帯端末装置が前記ナースコールの呼出信号を受信して、前記着信通知画面が前記ディスプレイに表示される前に、前記ディスプレイに表示されているアプリの表示画面のキャプチャ画像を取得するキャプチャ画像取得部と、
前記キャプチャ画像取得部によって取得された前記キャプチャ画像を、前記ナースコールに関する履歴情報と対応付けて、前記ナースコール親機または前記携帯端末装置が備える履歴情報記憶部に記録する履歴情報記録部と、
看護師の前記携帯端末装置に対する操作に応じて、前記履歴情報記憶部に記録された前記履歴情報を前記ディスプレイに表示する際に、当該履歴情報に対応付けられている前記キャプチャ画像を確認することができるように、当該履歴情報を前記ディスプレイに表示させる履歴情報表示制御部と
を備えることを特徴とするナースコールシステム。
【発明の詳細な説明】
【技術分野】
【０００１】
本発明は、ナースコールの応答および看護業務アプリの使用ができるように構成されたナースコールシステム用携帯端末装置およびナースコールシステムに関する。
【背景技術】
【０００２】
従来、病院内に設置されたナースコールシステムは、複数の看護師のそれぞれが所持する複数の携帯端末装置を備えて構成される場合がある。この種のナースコールシステムでは、患者（ナースコール子機）から発信されたナースコールを複数の看護師（携帯端末装置）に報知して、当該ナースコールに対する応答を複数の看護師のいずれかに行わせることができるようになっている。
【０００３】
ナースコールシステム用の携帯端末装置としては、一般的にはＰＨＳが用いられているが、その代わりに、スマートフォンを用いることも可能である。これにより、看護師は、ナースコールの応答（患者と音声通話）を行うことができるだけでなく、ＰＨＳでは実現できなかった様々な看護業務を、スマートフォンに導入された看護業務用のアプリケーション（以下、「看護業務アプリ」と示す）により実施することが可能となる。
【０００４】
ナースコールシステム用の携帯端末装置としてスマートフォンを用いた場合、看護業務アプリによる作業中にナースコールの着信があると、ディスプレイの主領域に表示される画面が、看護業務アプリの表示画面からナースコールの着信通知画面に切り替えられる。このとき、作業中であった看護業務アプリは待機状態となり、その表示画面がディスプレイの主領域から消滅するとともに、看護業務アプリのアイコンが所定のアイコン表示領域（例えば、ディスプレイの上端部または下端部に設けられたアイコンバー）に表示されることとなる。
【０００５】
その後、ナースコールの応答が終了すると、ディスプレイの主領域には複数のアプリのアイコンが並んで表示された待機画面が表示される。このとき、看護業務アプリは待機状態となったままであり、他のアプリと同様にアイコンのみが表示されている状態となる。このため、特に看護業務アプリが中断されてからの経過時間が長時間化するような場合（例えば、ナースコールの応答または対応に時間がかかってしまう場合、ナースコールの応答後に別の作業を行う必要が生じた場合等）には、看護師が、看護業務アプリによる作業が中断されたことを忘れてしまったり、看護業務アプリの作業内容を忘れてしまったりする場合がある。
【０００６】
特に、複数の看護業務アプリが同時に起動されている場合において、そのうちの一の看護業務アプリだけを使用しているとき（すなわち、他の看護業務アプリが待機状態のとき）に、ナースコールの着信があると、当該一の看護業務アプリは、他の看護業務アプリと区別なく待機状態（すなわち、アイコンのみが表示された状態）となる。この場合、看護師は、これら複数の看護業務アプリの中から、ナースコールの着信時に使用していた一の看護業務アプリを特定することは困難である。
【０００７】
なお、下記特許文献１に開示されている携帯端末装置では、ユーザがメールを作成しているときに着信等により他のアプリが起動された場合、作成途中のメールを保存してから、他のアプリ画面に切り替えるようにしている。そして、他のアプリ画面に切り替わってから一定時間経過後、メール作成途中の画面を表示してユーザに通知するようにしている。これにより、他のアプリを実行している間に、ユーザがメール作成途中であることを忘れてしまった場合であっても、上記通知によってユーザがメール作成途中であることを認識することができるようにしている。
【先行技術文献】
【特許文献】
【０００８】
【特許文献１】特開２０１３−２０７４１９号公報
【発明の概要】
【発明が解決しようとする課題】
【０００９】
しかしながら、上記特許文献１の技術では、他のアプリ画面に切り替わってから一定時間経過後に、中断されたアプリの通知がなされるようなっている。このため、上記特許文献１の技術をナースコールシステムに応用すると、ナースコールの着信から一定時間経過後に、着信時に使用していた看護業務アプリの通知が行われることになる。そのため、中断された看護業務アプリの通知が行われるタイミングは、看護師がナースコールの応答を終了した後に、中断された看護業務アプリの作業を直ちに再開しようとしたタイミングや、看護師がナースコールの応答を終了した後にそのナースコールに対応した看護業務を行い、その後中断された看護業務アプリの作業を再開しようとしたタイミングのいずれにも合致しない場合が殆どである。このように、上記特許文献１の技術では、中断された看護業務アプリの作業内容を看護師が所望するタイミングで確認することができないという問題があった。
【００１０】
本発明は、このような問題を解決するために成されたものであり、ナースコールシステム用の携帯端末装置において、ナースコールを着信したときに中断されたアプリの作業内容を看護師が所望するタイミングで確認することができるようにすることを目的とする。
【課題を解決するための手段】
【００１１】
上記した課題を解決するために、本発明では、ナースコールシステム用の携帯端末装置がナースコールの呼出信号を受信して、当該ナースコールの着信通知画面が携帯端末装置のディスプレイに表示される前に、ディスプレイに表示されているアプリの表示画面のキャプチャ画像を取得して、取得したキャプチャ画像を、ナースコールに関する履歴情報と対応付けて記録する。そして、看護師の携帯端末装置に対する操作に応じて、記録された履歴情報をディスプレイに表示する際に、当該履歴情報に対応付けられているキャプチャ画像を確認することができるように、当該履歴情報をディスプレイに表示させるようにしている。
【発明の効果】
【００１２】
上記のように構成した本発明によれば、看護師が所望のタイミングで携帯端末装置を操作して、ナースコールに関する履歴情報を携帯端末装置のディスプレイに表示させたときに、そのナースコールを着信したときにディスプレイに表示されていた表示画面のキャプチャ画像を確認できるようになる。これにより、看護師は、ナースコールを着信したときに中断されたアプリの作業内容を、所望するタイミングで確認することができる。
【図面の簡単な説明】
【００１３】
【図１】本発明の一実施形態に係るナースコールシステムの全体構成例を示す図である。
【図２】本発明の一実施形態に係るスマートフォンの機能構成例を示すブロック図である。
【図３】本発明の一実施形態に係るスマートフォンによる着信処理の手順を示すフローチャートである。
【図４】本発明の一実施形態に係るスマートフォンによる着信履歴表示処理の手順を示すフローチャートである。
【図５】本発明の一実施形態に係る待機画面の表示例を示す図である。
【図６】本発明の一実施形態に係る看護業務アプリの表示画面の表示例を示す図である。
【図７】本発明の一実施形態に係る着信通知画面の表示例を示す図である。
【図８】本発明の一実施形態に係る着信履歴情報の表示例を示す図である。
【図９】本発明の一実施形態に係るキャプチャ画像の表示例を示す図である。
【図１０】本発明の一実施形態に係るスマートフォンによる着信履歴表示処理の変形例を示すフローチャートである。
【図１１】本発明の一実施形態に係る着信履歴情報およびキャプチャ画像の表示例（変形例）を示す図である。
【発明を実施するための形態】
【００１４】
以下、本発明の一実施形態を図面に基づいて説明する。
【００１５】
〔ナースコールシステムの全体構成〕
図１は、本実施形態に係るナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１６】
図１に示すように、本実施形態に係るナースコールシステムは、ナースコール親機１、制御機２、廊下灯３、壁埋込形子機４ａ、ハンド形子機４ｂ、ハンディナースコール主装置６、無線基地局７およびスマートフォン８を備えて構成されている。
【００１７】
ナースコール親機１は、患者（ナースコール子機）からの呼び出しに対する応答の操作または患者の呼び出しの操作を行うためのものであり、例えばナースセンタに設置される。ナースコール親機１は、この応答や呼び出しを行うためのハンドセット１ａを備えている。
【００１８】
制御機２は、ナースコール親機１と廊下灯３との間に配置され、通話やデータの送受信に関する制御を行う。廊下灯３は、病室内の患者名が表示されるとともに、病室内の患者が看護師の呼び出しを行うと、呼び出しが行われたことが表示されるようになっている。
【００１９】
壁埋込形子機４ａは、病室の各ベッドサイドの壁に埋め込み設置される。この壁埋込形子機４ａは、廊下灯３に接続されている。壁埋込形子機４ａは、患者が看護師を呼び出すための呼出ボタン、患者が看護師と会話を行う際に使用するマイクおよびスピーカ、ハンド形子機４ｂを接続するための接続端子を備えている。
【００２０】
ハンド形子機４ｂは、壁埋込形子機４ａに接続される。ハンド形子機４ｂは、患者が看護師を呼び出すための呼出ボタン、患者が看護師と会話を行う際に使用するマイクおよびスピーカを備えている。なお、以降の説明では、壁埋込形子機４ａおよびハンド形子機４ｂをまとめてナースコール子機４と呼ぶ。
【００２１】
ハンディナースコール主装置６は、看護師が所持するスマートフォン８を用いた通話やデータの送受信に関する制御を行う。このハンディナースコール主装置６は、例えば病院内の通信センタに設置され、ナースコール親機１と接続されている。無線基地局７は、スマートフォン８との間で通話やデータの無線通信をするためのものであり、ハンディナースコール主装置６と接続されている。
【００２２】
スマートフォン８は、特許請求の範囲に記載の携帯端末装置の一例である。スマートフォン８は、複数の看護師のそれぞれが所持する。スマートフォン８は、ディスプレイ８ａ、タッチパネル８ｂ、マイク、スピーカ等を備えている。例えば、スマートフォン８は、看護師が患者からのナースコールに応答して、患者との通話を行うために使用される。また、スマートフォン８には、複数の看護業務アプリがインストールされている。看護師は、この看護業務アプリを使用して、データを参照したりデータを入力したりすることにより、所定の看護業務を遂行することができる。
【００２３】
〔スマートフォン８の機能構成〕
図２は、本実施形態に係るスマートフォン８の機能構成例を示すブロック図である。なお、ナースコールシステム１が備える複数のスマートフォン８は、いずれも図２に示すスマートフォン８と同様の機能構成を有する。
【００２４】
図２に示すように、スマートフォン８は、履歴情報記憶部１０を備える。また、また、スマートフォン８は、その機能構成として、アプリ実行制御部１１、呼出信号受信部１２、着信通知画面表示制御部１３、キャプチャ画像取得部１４、履歴情報記録部１５、履歴情報表示制御部１６および選択受付部１７を備える。
【００２５】
なお、上記各機能ブロック１１〜１７は、ハードウェア構成、ＤＳＰ、ソフトウェアの何れによっても実現することが可能である。例えばソフトウェアによって実現する場合、上記各機能ブロック１１〜１７は、実際にはコンピュータのＣＰＵあるいはＭＰＵ、ＲＡＭ、ＲＯＭ等を備えて構成され、ＲＡＭ、ＲＯＭ、ハードディスク、半導体メモリ等に記憶されたプログラムが動作することによって実現できる。
【００２６】
履歴情報記憶部１０は、スマートフォン８が過去に着信したナースコールの着信履歴情報を記憶する。この着信履歴情報は、履歴情報記録部１５によって記録されるものであり、例えば、ナースコールの着信日時、ナースコールの呼出種別（例えば、一般呼出、緊急呼出等）、ナースコールの発信元の患者の患者情報（例えば、患者名、病室番号、ベッド番号等）を含んで構成される。
【００２７】
アプリ実行制御部１１は、スマートフォン８に導入されている看護業務アプリの実行を制御する。例えば、スマートフォン８が待機状態のとき、ディスプレイ８ａには、複数のアプリのアイコンが整列された待機画面が表示される。そして、任意の看護業務アプリのアイコンが、看護師によるタッチパネル８ｂの操作により選択されると、アプリ実行制御部１１は、選択された看護業務アプリを起動する。これにより、ディスプレイ８ａには、当該看護業務アプリの表示画面が表示される。看護師は、この表示画面を参照したり、この表示画面からデータを入力したりすることにより、当該看護業務アプリによる看護業務を遂行することができる。
【００２８】
呼出信号受信部１２は、ナースコール子機４から発信されたナースコールの呼出信号を受信する。このナースコールの呼出信号は、例えば、ナースコールの呼出種別、ナースコールの発信元の患者の患者情報（例えば、患者名、病室番号、ベッド番号等）を含んで構成されている。これらの患者情報は、ナースコール子機４から発信されたナースコールに示されているナースコール子機の識別情報に基づいて、ナースコール親機１が、患者情報データベース（図示省略）から抽出したものである。
【００２９】
着信通知画面表示制御部１３は、呼出信号受信部１２がナースコールの呼出信号を受信すると、当該ナースコールの着信通知画面をディスプレイ８ａに表示させる。この着信通知画面には、例えば、ナースコールの呼出種別、ナースコールの発信元の患者の患者情報（例えば、患者名、病室番号、ベッド番号等）が示されている。
【００３０】
ナースコールの着信通知画面がディスプレイ８ａに表示されるとき、アプリ実行制御部１１は、そのときに稼働状態となっている看護業務アプリを待機状態にする。すなわち、アプリ実行制御部１１は、当該看護業務アプリの表示画面をディスプレイ８ａの主領域から消滅させるとともに、当該看護業務アプリのアイコンをディスプレイ８ａにおける所定のアイコン表示領域（例えば、ディスプレイの上端部または下端部に設けられたアイコンバー）に表示させる。
【００３１】
キャプチャ画像取得部１４は、ナースコールの着信時に、アプリ実行制御部１１によって看護業務アプリが稼働状態にあるか否かを判定する。ここで、看護業務アプリが稼働状態にあると判定した場合、キャプチャ画像取得部１４は、ナースコールの着信通知画面がディスプレイ８ａに表示される前に、ディスプレイ８ａに表示されている看護業務アプリ（すなわち、そのときに稼働状態にある看護業務アプリであって、アプリ実行制御部１１によって待機状態にされる看護業務アプリ）の表示画面のキャプチャ画像を取得する。
【００３２】
履歴情報記録部１５は、キャプチャ画像取得部１４によって取得されたキャプチャ画像を、そのキャプチャ画像が取得されたときに着信したナースコールの着信履歴情報と対応付けて、履歴情報記憶部１０に記録する。
【００３３】
履歴情報表示制御部１６は、タッチパネル８ｂによる所定の着信履歴表示操作（例えば着信履歴ボタンの押下）が行われると、履歴情報記録部１０に記録された着信履歴情報をディスプレイ８ａに表示させる。このとき、着信履歴情報にキャプチャ画像が対応付けられている場合、履歴情報表示制御部１６は、当該着信履歴情報に対応付けられているキャプチャ画像を確認できるように、当該着信履歴情報をディスプレイ８ａに表示させる。
【００３４】
具体的には、履歴情報表示制御部１６は、図８に示すように、着信履歴情報８０２−１〜８０２−３をディスプレイ８ａに表示する際に、当該着信履歴情報８０２−１〜８０２−３とともにキャプチャ画像表示ボタン８０４をディスプレイ８ａに表示する。そして、履歴情報表示制御部１６は、キャプチャ画像表示ボタン８０４が選択されると、キャプチャ画像をディスプレイ８ａに表示して、当該キャプチャ画像を確認できるようにしている。
【００３５】
選択受付部１７は、ディスプレイ８ａに待機画面５００（図５参照）が表示されているとき、タッチパネル８ｂの操作による看護業務アプリのアイコン５０２，５０４，５０６の選択を受け付ける。選択受付部１７が看護業務アプリのアイコン５０２，５０４，５０６の選択を受け付けると、アプリ実行制御部１１の制御により、選択された看護業務アプリが起動される。
【００３６】
また、選択受付部１７は、ディスプレイ８ａにキャプチャ画像表示ボタン８０４（図８参照）が表示されているとき、タッチパネル８ｂの操作によるキャプチャ画像表示ボタン８０４の選択を受け付ける。選択受付部１７がキャプチャ画像表示ボタン８０４の選択を受け付けると、履歴情報表示制御部１６の制御により、当該キャプチャ画像表示ボタン８０４に対応するキャプチャ画像がディスプレイ８ａに表示される。
【００３７】
また、選択受付部１７は、ディスプレイ８ａにキャプチャ画像６００’（図９参照）が表示されているとき、タッチパネル８ｂの操作によるキャプチャ画像６００’の選択を受け付ける。選択受付部１７がキャプチャ画像６００’の選択を受け付けると、アプリ実行制御部１１の制御により、当該キャプチャ画像６００’が取得された看護業務アプリの待機状態が解除される。
【００３８】
アプリ実行制御部１１は、看護業務アプリの待機状態を解除する（すなわち、稼働状態にする）ことにより、当該看護業務アプリの表示画面（ナースコールを受信したときに表示されていた表示画面）をディスプレイ８ａの主領域に表示させるとともに、当該看護業務アプリのアイコンをディスプレイ８ａにおける所定のアイコン表示領域から消滅させる。例えば、履歴情報記録部１５が、キャプチャ画像を着信履歴情報に対応付けて記録するときに、当該キャプチャ画像が取得された看護業務アプリの識別情報を、当該キャプチャ画像に対応付けておく。これにより、アプリ実行制御部１１は、キャプチャ画像が選択されたときに、待機状態を解除すべき看護業務アプリを特定することができる。
【００３９】
〔スマートフォン８による着信処理の手順〕
図３は、本実施形態に係るスマートフォン８による着信処理の手順を示すフローチャートである。図３に例示する処理は、ナースコール子機４からナースコールの呼出信号を受信したときに開始される。
【００４０】
まず、呼出信号受信部１２がナースコールの呼出信号を受信すると（ステップＳ３０２：Ｙｅｓ）、キャプチャ画像取得部１４は、看護業務アプリが稼働状態となっているか否かを判断する（ステップＳ３０４）。ここで、看護業務アプリが稼働状態となっていないと判断した場合（ステップＳ３０４：Ｎｏ）、着信通知画面表示制御部１３が、ステップＳ３０２で受信された呼出信号に基づき、ナースコールの着信通知画面をディスプレイ８ａに表示させる（ステップＳ３１４）。そして、スマートフォン８は、図３に例示する処理を終了する。
【００４１】
一方、看護業務アプリが稼働状態となっていると判断した場合（ステップＳ３０４：Ｙｅｓ）、キャプチャ画像取得部１４が、そのときにディスプレイ８ａの主領域に表示されている看護業務アプリの表示画面のキャプチャ画像を取得する（ステップＳ３０６）。そして、アプリ実行制御部１１は、ディスプレイ８ａの主領域から看護業務アプリの表示画面を消滅させるとともに（ステップＳ３０８）、その看護業務アプリのアイコンをディスプレイ８ａに表示されたアイコンバーに表示させる（ステップＳ３１０）。
【００４２】
そして、履歴情報記録部１５が、ステップＳ３０６で取得されたキャプチャ画像を、ステップＳ３０２で受信された呼出信号に基づくナースコールの着信履歴情報と対応付けて、履歴情報記憶部１０に記録する（ステップＳ３１２）。さらに、着信通知画面表示制御部１３が、ステップＳ３０２で受信された呼出信号に基づき、ナースコールの着信通知画面をディスプレイ８ａに表示させる（ステップＳ３１４）。そして、スマートフォン８は、図３に例示する処理を終了する。
【００４３】
〔スマートフォン８による着信履歴表示処理の手順〕
図４は、本実施形態に係るスマートフォン８による着信履歴表示処理の手順を示すフローチャートである。図４に例示する処理は、タッチパネル８ｂによる所定の着信履歴表示操作を看護師が行ったときに開始される。
【００４４】
まず、履歴情報表示制御部１６が、履歴情報記録部１０に記録された着信履歴情報を読み出して（ステップＳ４０２）、当該着信履歴情報をディスプレイ８ａに表示させる（ステップＳ４０４）。このとき、いずれの着信履歴情報にもキャプチャ画像が対応付けられていない場合（ステップＳ４０６：Ｎｏ）、スマートフォン８は、図４に例示する処理を終了する。
【００４５】
一方、いずれかの着信履歴情報にキャプチャ画像が対応付けられている場合（ステップＳ４０６：Ｙｅｓ）、履歴情報表示制御部１６は、その着信履歴情報とともに、キャプチャ画像を表示させるためのキャプチャ画像表示ボタン８０４をディスプレイ８ａに表示させる（ステップＳ４０８）。その後、キャプチャ画像表示ボタン８０４が押下されなければ（ステップＳ４１０：Ｎｏ）、スマートフォン８は、図４に例示する処理を終了する。
【００４６】
一方、キャプチャ画像表示ボタン８０４が押下されると（ステップＳ４１０：Ｙｅｓ）、履歴情報表示制御部１６は、着信履歴情報に対応付けられているキャプチャ画像をディスプレイ８ａに表示させる（ステップＳ４１２）。その後、キャプチャ画像が選択されなければ（ステップＳ４１４：Ｎｏ）、スマートフォン８は、図４に例示する処理を終了する。
【００４７】
一方、キャプチャ画像が選択されると（ステップＳ４１４：Ｙｅｓ）、アプリ実行制御部１１は、当該キャプチャ画像が取得された看護業務アプリを稼働状態にして（ステップＳ４１６）、当該看護業務アプリの表示画面をディスプレイ８ａの主領域に再表示させる（ステップＳ４１８）。これとともに、アプリ実行制御部１１は、当該看護業務アプリのアイコンをディスプレイ８ａに表示されたアイコンバーから消滅させる（ステップＳ４２０）。そして、スマートフォン８は、図４に例示する処理を終了する。
【００４８】
〔待機画面の表示例〕
図５は、本実施形態に係る待機画面の表示例を示す図である。図５に示すように、ディスプレイ８ａの表示領域は、主領域ａ１と、ディスプレイ８ａの下端部に設けられたアイコンバーａ２とによって構成されている。主領域ａ１には、いずれのアプリも起動されていない場合、または、起動されているアプリが全て待機状態の場合には、複数のアプリのアイコンが整列された待機画面５００が表示される。また、主領域ａ１には、起動されているアプリのいずれかが稼働中の場合、そのアプリの表示画面が表示される。アイコンバーａ２には、所定のアプリ（例えば、使用頻度の高いアプリ）のアイコンと、待機状態となっているアプリのアイコンとが表示される。図５に示す例では、いずれのアプリも起動されていないために、主領域ａ１には、待機画面５００が表示されている。また、アイコンバーａ２には、所定のアプリのアイコン５１２，５１４，５１６だけが表示されている。
【００４９】
待機画面５００には、看護業務アプリのアイコン５０２，５０４，５０６が表示されている。これら複数の看護業務アプリのアイコン５０２，５０４，５０６のうち、いずれかの看護業務アプリのアイコンがタッチパネル８ｂの操作により選択されると、アプリ実行制御部１１により、その看護業務アプリが起動されることとなる。
【００５０】
アプリ実行制御部１１は、複数の看護業務アプリを同時に起動することが可能である。この場合、ユーザによって任意に選択された一の看護業務アプリを稼働状態とし、他の看護業務アプリを待機状態とすることができる。このとき、稼働状態となった一の看護業務アプリは、その表示画面が主領域ａ１に表示される。一方、待機状態となった他の看護業務アプリは、そのアイコンがアイコンバーａ２に表示される。
【００５１】
〔看護業務アプリの表示画面の表示例〕
図６は、本実施形態に係る看護業務アプリの表示画面の表示例を示す図である。図６に示す表示画面６００は、図５に示すアイコン５０６（「バイタル入力」と記されたアイコン）が選択されて、対応する看護業務アプリが起動されたことにより、ディスプレイ８ａの主領域ａ１に表示された看護業務アプリの表示画面の一例である。
【００５２】
看護師は、タッチパネル８ｂを操作することにより、この表示画面６００から、患者のバイタル情報（体温、血圧、脈拍数、呼吸数）を入力することできる。そして、ＯＫボタン６０２を押下することにより、入力されたバイタル情報を、ナースコールシステムが備えるデータベース（図示省略）へ登録することができる。なお、図６では、バイタル情報の入力作業の途中であり、体温および血圧のみが入力された状態を示している。
【００５３】
また、図６では、アイコンバーａ２には、看護業務アプリのアイコン５１８が表示されている。このアイコン５１８はアイコン５０４（「看護業務入力」と記されたアイコン。図５参照）と同様の図柄である。すなわち、アイコン５１８の表示は、スマートフォン８においてアイコン５０４（図５参照）に対応する看護業務アプリが待機状態となっていることを示している。
【００５４】
〔着信通知画面の表示例〕
図７は、本実施形態に係る着信通知画面の表示例を示す図である。図７に示す表示画面７００は、ナースコールの呼出信号を受信したことによりディスプレイ８ａの主領域ａ１に表示された着信通知画面の一例である。
【００５５】
この表示画面７００には、ナースコールの呼出種別、ナースコールの発信元の患者の患者名、病室番号、ベッド番号とともに、応答ボタン７０２が表示されている。看護師は、表示画面７００に表示されている応答ボタン７０２を押下することにより、ナースコールに応答することができる。すなわち、ナースコールの発信元の患者との音声通話を行うことができる。
【００５６】
この表示画面７００が表示されたことにより、図６に示すように表示画面６００に対するバイタル情報の入力途中であった看護業務アプリは待機状態となっている。このため、主領域ａ１においては、当該看護業務アプリの表示画面６００が消滅している。代わりに、当該看護業務アプリのアイコン７０４がアイコンバーａ２に表示されている。すなわち、アイコンバーａ２は、看護業務アプリのアイコン５１８と、看護業務アプリのアイコン７０４とが表示された状態となっている。
【００５７】
また、表示画面７００がディスプレイ８ａに表示される前に、表示画面６００のキャプチャ画像６００’がキャプチャ画像取得部１４により取得されている。このキャプチャ画像６００’は、ナースコールの着信履歴情報と対応付けて履歴情報記憶部１０に記憶される。そして、図８および図９に示すように、ナースコールの着信履歴情報をディスプレイ８ａに表示したときに、この着信履歴情報からキャプチャ画像６００’を確認することができるようになっている。
【００５８】
ナースコールの応答が終了すると、主領域ａ１においては、表示画面７００が消滅し、図５に示した待機画面５００が表示されることとなる。このとき、キャプチャ画像６００’が取得された看護業務アプリは待機状態となったままである。すなわち、アイコンバーａ２は、看護業務アプリのアイコン５１８と、看護業務アプリのアイコン７０４とが表示された状態となったままである。
【００５９】
このように、複数の看護業務アプリのアイコンがアイコンバーａ２に表示されている場合は、看護師は、ナースコールを着信したときに中断された看護業務アプリを特定することが困難である。そこで、本実施形態では、図８および図９に示すように、看護師が所望のタイミングでタッチパネル８ｂを操作して、ナースコールの着信履歴情報を表示させたときに、そのナースコールを着信したときにディスプレイ８ａに表示されていた表示画面６００のキャプチャ画像６００’を確認できるようにしている。これにより、ナースコールを着信したときに中断された看護業務アプリおよびその作業内容を特定できるようにしている。
【００６０】
〔着信履歴情報およびキャプチャ画像の表示例〕
図８は、本実施形態に係る着信履歴情報の表示例を示す図である。図９は、本実施形態に係るキャプチャ画像の表示例を示す図である。
【００６１】
図８に示す表示画面８００ａは、着信履歴情報の表示画面の一例である。この表示画面８００ａは、スマートフォン８のタッチパネル８ｂによって所定の着信履歴表示操作がなされたときに、当該スマートフォン８が備えるディスプレイ８ａの主領域ａ１に表示される。
【００６２】
図８に示す例では、表示画面８００ａには３件の着信履歴情報８０２−１，８０２−２，８０２−３が表示されている。このうち、着信履歴情報８０２−２は、図７に示す表示画面７００が表示されたナースコールの着信に関する着信履歴情報である。すなわち、着信履歴情報８０２−２には、そのナースコールを着信したときに中断された看護業務アプリの表示画面６００（図６参照）のキャプチャ画像６００’が対応付けられている。このため、着信履歴情報８０２−２には、キャプチャ画像６００’をディスプレイ８ａに表示させるためのキャプチャ画像表示ボタン８０４が重ねて表示されている。
【００６３】
看護師は、キャプチャ画像表示ボタン８０４を押下することにより、図９に示すように、着信履歴情報８０２−２に対応付けられているキャプチャ画像６００’をディスプレイ８ａの主領域ａ１に表示させることができる。看護師は、このキャプチャ画像６００’により、ナースコールを着信したときに中断された看護業務アプリおよびその作業内容を確認することができる。
【００６４】
また、図９に示す例では、ディスプレイ８ａの主領域ａ１には、キャプチャ画像６００’とともに実行ボタン９０２が表示されている。看護師は、この実行ボタン９０２を押下することにより、キャプチャ画像６００’が取得された看護業務アプリを稼働状態にして、その表示画面６００をディスプレイ８ａの主領域ａ１に再表示させることができる。そして、看護師は、再表示された表示画面６００により、ナースコールの着信時に中断された作業を再開することができる。このとき、再表示された表示画面６００において、入力途中のデータが消去されてしまっている場合であっても、看護師は、キャプチャ画像６００’を参照することにより、入力途中のデータを確認することができる。
【００６５】
なお、一般的に、ナースコールの着信履歴情報は、看護師が当該着信履歴情報をスマートフォン８から意図的に削除するまでは、スマートフォン８に記憶されたままである。したがって、看護師は、着信履歴情報を削除するまでの間、いつでも好きな時に、ナースコールの着信時に中断された看護業務アプリおよびその作業内容を確認することができる。
【００６６】
以上説明したように、本実施形態では、看護師の操作に応じて、ナースコールの着信履歴情報８０２−２をディスプレイ８ａに表示する際に、当該着信履歴情報８０２−２とともにキャプチャ画像表示ボタン８０４を表示し、当該画像表示ボタン８０４が選択された場合、キャプチャ画像６００’をディスプレイ８ａに表示するようにしている。これにより、看護師は、このキャプチャ画像６００’から、ナースコールを着信したときにディスプレイ８ａに表示されていた表示画面６００を確認することができる。すなわち、看護師は、ナースコールを着信したときに中断された看護業務アプリおよびその作業内容を所望するタイミング（例えば、ナースコールの応答が終了したタイミング、ナースコールの応答を終了した後に行った看護業務が終了したタイミング）で確認することができる。
【００６７】
〔変形例〕
以下、図１０および図１１を参照して、本実施形態の変形例について説明する。本変形例では、履歴情報表示制御部１６が着信履歴情報をディスプレイ８ａに表示させる際に、当該着信履歴情報に並べてまたは重ねて、当該着信履歴情報に対応付けられているキャプチャ画像の縮小画像をディスプレイ８ａに表示させるようにしている。
【００６８】
〔スマートフォン８による着信履歴表示処理の変形例〕
図１０は、本実施形態に係るスマートフォン８による着信履歴表示処理の変形例を示すフローチャートである。図１０に例示する処理は、タッチパネル８ｂによる所定の着信履歴表示操作を看護師が行ったときに開始される。
【００６９】
まず、履歴情報表示制御部１６が、履歴情報記録部１０に記録された着信履歴情報を読み出して（ステップＳ１００２）、当該着信履歴情報をディスプレイ８ａに表示させる（ステップＳ１００４）。このとき、いずれの着信履歴情報にもキャプチャ画像が対応付けられていない場合（ステップＳ１００６：Ｎｏ）、スマートフォン８は、図１０に例示する処理を終了する。
【００７０】
一方、いずれかの着信履歴情報にキャプチャ画像が対応付けられている場合（ステップＳ１００６：Ｙｅｓ）、履歴情報表示制御部１６は、その着信履歴情報とともに、その着信履歴情報に対応付けられているキャプチャ画像の縮小画像をディスプレイ８ａに表示させる（ステップＳ１００８）。その後、キャプチャ画像の縮小画像が選択されなければ（ステップＳ１０１０：Ｎｏ）、スマートフォン８は、図１０に例示する処理を終了する。
【００７１】
一方、キャプチャ画像の縮小画像が選択されると（ステップＳ１０１０：Ｙｅｓ）、アプリ実行制御部１１は、当該キャプチャ画像が取得された看護業務アプリを稼働状態にして（ステップＳ１０１２）、当該看護業務アプリの表示画面をディスプレイ８ａの主領域に再表示させる（ステップＳ１０１４）。これとともに、アプリ実行制御部１１は、当該看護業務アプリのアイコンをディスプレイ８ａに表示されたアイコンバーから消滅させる（ステップＳ１０１６）。そして、スマートフォン８は、図１０に例示する処理を終了する。
【００７２】
〔着信履歴情報およびキャプチャ画像の表示例（変形例）〕
図１１は、本実施形態に係る着信履歴情報およびキャプチャ画像の表示例（変形例）を示す図である。
【００７３】
図１１に示す表示画面８００ｂは、着信履歴情報の表示画面の一例である。この表示画面８００ｂは、スマートフォン８のタッチパネル８ｂによって所定の着信履歴表示操作がなされたときに、当該スマートフォン８が備えるディスプレイ８ａの主領域ａ１に表示される。
【００７４】
図１１に示す表示画面８００ｂでは、着信履歴情報８０２−２に対し、キャプチャ画像６００’の縮小画像であるキャプチャ画像６００’’を重ねて表示するようにしている。看護師は、着信履歴情報８０２−２とともに表示されたキャプチャ画像６００’’により、ナースコールを着信したときに中断された看護業務アプリおよびその作業内容を確認することができる。
【００７５】
なお、図１１に示す表示画面８００ｂにおいては、キャプチャ画像６００’’を選択することが可能となっている。看護師は、このキャプチャ画像６００’’を選択することにより、キャプチャ画像６００’’が取得された看護業務アプリを稼働状態にして、その表示画面６００をディスプレイ８ａの主領域ａ１に再表示させることができる。そして、看護師は、再表示された表示画面６００により、ナースコールの着信時に中断された作業を再開することができる。このとき、再表示された表示画面６００において、入力途中のデータが消去されてしまっている場合であっても、看護師は、キャプチャ画像６００’’を参照することにより、入力途中のデータを確認することができる。
【００７６】
以上説明したように、本変形例では、看護師の操作に応じて、ナースコールの着信履歴情報８０２−２をディスプレイ８ａに表示する際に、当該着信履歴情報８０２−２とともにキャプチャ画像６００’’を表示するようにしている。これにより、看護師は、このキャプチャ画像６００’’から、そのナースコールを着信したときにディスプレイ８ａに表示されていた表示画面６００を確認することができる。すなわち、看護師は、ナースコールを着信したときに中断された看護業務アプリおよびその作業内容を所望するタイミングで確認することができる。
【００７７】
なお、上記実施形態では、スマートフォン８（キャプチャ画像取得部１４）によって取得されたキャプチャ画像を、ナースコールの着信履歴情報（特許請求の範囲に記載のナースコールに関する履歴情報の一例）に対応付けて、スマートフォン８（履歴情報記憶部１０）に記録することとしたが、これに限らない。例えば、スマートフォン８（キャプチャ画像取得部１４）によって取得されたキャプチャ画像を、ナースコール親機１（またはナースコールシステムが備える他の装置）が管理する他の履歴情報（例えば、ナースコールの呼出履歴情報、ナースコールの呼出応答履歴情報等）に対応付けて、ナースコール親機１（またはナースコールシステムが備える他の装置）に記録してもよい。そして、スマートフォン８において、看護師の所望のタイミングでの操作に応じて上記他の履歴情報をディスプレイ８ａに表示する際に、当該他の履歴情報に対応付けられているキャプチャ画像をナースコール親機１（またはナースコールシステムが備える他の装置）から取得して、当該キャプチャ画像を看護師が確認できるようにしてもよい。
【００７８】
また、上記実施形態では、ナースコールの呼出信号を受信したときに、看護業務アプリが起動されていれば、その表示画面のキャプチャ画像を取得するようにしているが、看護業務アプリ以外のアプリが起動されている場合であっても、その表示画面のキャプチャ画像を取得するようにしてもよい。これにより、例えば、一般的なアプリ（例えば、インターネット、電子メール等）を使用して看護業務を行っていたような場合であっても、ナースコールの呼出信号を受信したときに取得されたキャプチャ画像から、その作業内容を確認することができるようになる。
【００７９】
また、上記実施形態では、特許請求の範囲に記載の携帯端末装置の一例としてスマートフォン８を用いたが、これに限らない。携帯端末装置としては、ナースコールの応答および看護業務アプリの使用が可能なディスプレイを備えた携帯端末装置であれば、どのような携帯端末装置を用いてもよい。
【００８０】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８１】
１  ナースコール親機
４  ナースコール子機
８  スマートフォン
８ａ  ディスプレイ
８ｂ  タッチパネル
１０  履歴情報記憶部
１１  アプリ実行制御部
１２  呼出信号受信部
１３  着信通知画面表示制御部
１４  キャプチャ画像取得部
１５  履歴情報記録部
１６  履歴情報表示制御部
１７  選択受付部
【図１】
2015213637.tif 000003
【図２】
2015213637.tif 000004
【図３】
2015213637.tif 000005
【図４】
2015213637.tif 000006
【図５】
2015213637.tif 000007
【図６】
2015213637.tif 000008
【図７】
2015213637.tif 000009
【図８】
2015213637.tif 000010
【図９】
2015213637.tif 000011
【図１０】
2015213637.tif 000012
【図１１】
2015213637.tif 000013